(57)【要約】【課題】  予備のバッテリの携帯が容易となり、長時間の撮影が可能となる三脚を提供する。【解決手段】  三脚取付用雌ネジ２０と取付用雄ネジ４５を螺合させ、デジタルカメラ２と三脚１９を固定する。デジタルカメラ２に収容されたバッテリ８２の残量がなくなると、電圧検出回路８６の検出結果に基づいて、バッテリ制御回路８５は三脚１９の各脚に設けられた予備バッテリ４２ａ、４２ｂのうち、バッテリ残量が少ない予備バッテリ４２ａ、４２ｂから順次、デジタルカメラ２に電力を供給する。さらに、電圧検出回路８６の検出結果に基づいて、状態表示ランプ３８を点灯させて各脚に設けられた予備バッテリ４２ａ、４２ｂの状態をユーザに知らせる。これにより、予備バッテリ４２ａ、４２ｂの携帯が容易になるとともに、長時間に撮影が可能となる。【選択図】        図５
2005321722.tif 000002
【特許請求の範囲】
【請求項１】
各脚に交換自在に収容されたバッテリと、カメラに設けられた三脚取付用ネジ穴に螺合して前記カメラを雲台に固定する取付ネジと、この取付ネジに設けられ、前記カメラに前記バッテリからの電力を供給する供給手段とを備えたことを特徴とする三脚。
【請求項２】
前記供給手段は、前記バッテリと電気的に接続された接続端子であり、前記三脚取付用ネジ穴に前記取付ネジを螺合した際に、前記三脚取付用ネジ穴に設けられた端子と前記接続端子が接続することによって、前記カメラに前記バッテリの電力が供給されることを特徴とする請求項１記載の三脚。
【請求項３】
前記供給手段は、前記バッテリと電気的に接続された接続端子、及び前記取付ネジに固定され、カメラのバッテリ室に装填可能なアダプタとからなり、前記取付ネジに固定されたアダプタが前記バッテリ室に装填された際に、前記バッテリ室に設けられたバッテリ接片と前記接続端子が前記アダプタを介して接続され、前記カメラに前記バッテリの電力が供給されることを特徴とする請求項１記載の三脚。
【請求項４】
前記各脚に交換自在に収容されたバッテリの状態を検知する検知手段と、この検知手段の検知結果に基づいて、前記バッテリの状態を表示する表示手段とを備えたことを特徴とする請求項１ないし３いずれか記載の三脚。
【請求項５】
前記検知手段は少なくとも前記バッテリの電圧を検知しており、前記各脚に収容されたバッテリの電圧の検知結果に基づいて、前記各脚に収容されたバッテリが順次使用不能となるように前記カメラに電力の供給を行う制御手段を備えたことを特徴とする請求項４記載の三脚。
【発明の詳細な説明】
【技術分野】
【０００１】
本発明は、カメラに取り付ける三脚に関するものである。
【背景技術】
【０００２】
近年、ＣＣＤイメージセンサを用いて撮像した画像データをデジタルデータとしてメモリーカードなどの記憶媒体に記憶するデジタルカメラが普及している。デジタルカメラは、各種撮影機構を電力で駆動させており、銀塩カメラ等に比べると消費電力が大きく、記録媒体であるメモリーカード等が一杯になる前にバッテリ切れで撮影不能となるケースも多い。また、野外等でセルフタイマー撮影や夜景撮影等の撮影を行う際には、三脚やレフ板などの撮影機材を携帯するとともに、長時間撮影を行う際には予備のバッテリーも携帯する必要がある。
【０００３】
予備のバッテリをカメラ以外の機器に装着させておき、カメラの電源が消耗している場合にカメラと機器を接続させて、撮影を継続して行うようにしたカメラが特許文献１に記載されている。このカメラには、携帯電話用の電力供給装置の端子と同一形状の端子が設けられており、カメラの端子と電力供給装置の端子とを接続させることでカメラに給電を行う。さらに、電力供給装置に接続されたカメラは、佇立状態となるのでセルフタイマー撮影が行えることが記載されている。
【０００４】
【特許文献１】特開２００３−０６９８７４号公報
【発明の開示】
【発明が解決しようとする課題】
【０００５】
しかしながら、予備のバッテリーや三脚等の撮影機材を数多く携帯することは、撮影者にとって大きな負担となる。また、特許文献１のように携帯電話の電力供給装置では、装填している電池が少なく、撮影時間が十分に確保できない。そのため、電力供給装置に装填させる予備のバッテリを携帯する必要がある。また、携帯電話用の電力供給装置は小型のため、大型のカメラに用いることができないという問題もある。
【０００６】
本発明は、上記問題を解決するために、三脚の各脚に予備のバッテリを備えるとともに、カメラを三脚に固定すると、電池の入れ替えを行わなくとも容易に予備のバッテリから電力を供給することができる三脚を提供することを目的とする。
【課題を解決するための手段】
【０００７】
本発明の三脚は、各脚に交換自在に収容されたバッテリと、カメラに設けられた三脚取付用ネジ穴に螺合して前記カメラを雲台に固定する取付ネジと、この取付ネジに設けられ、前記カメラに前記バッテリからの電力を供給する供給手段とを備えたものである。また、前記供給手段は、前記バッテリと電気的に接続された接続端子であり、前記三脚取付用ネジ穴に前記取付ネジを螺合した際に、前記三脚取付用ネジ穴に設けられた端子と前記接続端子が接続することによって、前記カメラに前記バッテリの電力を供給してもよい。また、前記供給手段を、前記バッテリと電気的に接続された接続端子と、前記取付ネジに固定され、カメラのバッテリ室に装填可能なアダプタとから構成し、前記取付ネジに固定されたアダプタが前記バッテリ室に装填された際に、前記バッテリ室に設けられたバッテリ接片と前記接続端子が前記アダプタを介して接続され、前記カメラに前記バッテリの電力を供給してもよい。
【０００８】
また、前記各脚に交換自在に収容されたバッテリの状態を検知する検知手段と、この検知手段の検知結果に基づいて、前記バッテリの状態を表示する表示手段とを備えてもよい。さらに、前記検知手段は少なくとも前記バッテリの電圧を検知しており、前記各脚に収容されたバッテリの電圧の検知結果に基づいて、前記各脚に収容されたバッテリが順次使用不能となるように前記カメラに電力の供給を行う制御手段を備えてもよい。
【発明の効果】
【０００９】
本発明によれば、各脚に交換自在に収容されたバッテリと、カメラに設けられた三脚取付用ネジ穴に螺合してカメラを雲台に固定する取付ネジと、この取付ネジに設けられ、カメラにバッテリからの電力を供給する供給手段とを備えたので、大容量のバッテリの携帯が容易であり、かつ長時間の撮影も可能となる。また、バッテリが交換自在に各脚に収容されているので、脚毎にバッテリの交換や充電を行うことができる。
【００１０】
また、供給手段はバッテリと電気的に接続された接続端子であり、三脚取付用ネジ穴に取付ネジを螺合した際に、三脚取付用ネジ穴に設けられた端子と接続端子が接続することによって、カメラにバッテリの電力が供給されるので、バッテリの交換作業等を行わずにカメラに予備バッテリからの電力が供給できる。
【００１１】
また、供給手段は、バッテリと電気的に接続された接続端子と、取付ネジに固定され、カメラのバッテリ室に装填可能なアダプタとからなり、取付ネジに固定されたアダプタがバッテリ室に装填された際に、バッテリ室に設けられたバッテリ接片と接続端子がアダプタを介して接続され、カメラにバッテリの電力が供給されるので、三脚取付用ネジ穴を備えていないカメラにも、各脚に収容したバッテリの電力を供給することができる。
【００１２】
また、各脚に交換自在に収容されたバッテリの状態を検知する検知手段と、この検知手段の検知結果に基づいて、バッテリの状態を表示する表示手段とを備え、さらに、検知手段は少なくともバッテリの電圧を検知しており、各脚に収容されたバッテリの電圧の検知結果に基づいて、各脚に収容されたバッテリが順次使用不能となるようにカメラに電力の供給を行う制御手段を備えたので、各脚に収容されたバッテリを効率よく使用することができる。
【発明を実施するための最良の形態】
【００１３】
図１は、第１の実施形態であるデジタルカメラと三脚の構成を示す外観斜視図である。デジタルカメラ２の前面には、撮影レンズ５が組み込まれ、伸縮自在であるレンズ鏡筒６、ファインダを構成する対物ファインダ窓７、被写体に向けてストロボ光を照射するストロボ発光部８が設けられており、デジタルカメラ２の上面には、シャッターレリーズ操作に用いられるシャッタボタン９が設けられている。
【００１４】
図２に示すように、デジタルカメラ２の一方の側面には、メモリカードが着脱自在に収容されるメモリカードスロット１０が設けられており、このメモリカードスロット１０に収容されたメモリーカードには撮影された画像データが記録される。デジタルカメラ２の背面には、ファインダを構成する接眼ファインダ窓１１、電源ボタン１２、メニューボタン１３、モード選択ボタン１４、決定ボタン１５、キャンセルボタン１６や十字ボタン１７、液晶表示（ＬＣＤ）パネル１８などが設けられている。
【００１５】
デジタルカメラ２の底面は、三脚１９を取り付けるための三脚取付用雌ネジ２０と、この三脚取付用雌ネジ２０の近傍には、デジタルカメラ２に給電を行うバッテリが着脱自在に収容されるバッテリー室が設けられている。詳しくは後述するが、三脚取付用雌ネジ２０の内部には、三脚１９が取付られたことを検出する三脚検出スイッチ及び外部からの電力をデジタルカメラ２内に供給する電源端子が設けられている。バッテリー室には、デジタルカメラ２の底面の一部を構成し、かつスライドによってバッテリ室を開閉する蓋部材２５が設けられている。なお、バッテリ室に収容されるバッテリとしては、例えば、２次電池のリチウムイオンバッテリや、１次電池の単三乾電池等が用いられるが、これに限るものではない。
【００１６】
図１及び図３に示すように、三脚１９は、主に基台部３０、脚３１〜３３、雲台部３４から構成されており、ジュラルミンやカーボンファイバーなど軽くて丈夫な素材が使用されている。基台部３０は、基台３５、クランクハンドル３６、エレベータ３７、状態表示ランプ３８と、連結部４０から構成されている。このエレベータ３７は、クランクハンドル３６の回転操作によってデジタルカメラ２の撮影位置を上下に微調整することができる。状態表示ランプ３８は、赤色、黄色、青色の３個のＬＥＤランプが脚３１〜３３毎に設けられている。連結部４０は、各脚３１〜３３の外径より少し大きい外径を有した連結筒４０ａが設けられており、この連結筒４０ａに各脚３１〜３３を固定することで、各脚３１〜３３を開脚させて三脚１９を倒立させる開き位置と、三脚１９を携帯する際に各脚３１〜３３を閉脚させる閉じ位置に開閉自在となる。
【００１７】
各脚３１〜３３の一方の端部には石突４１が設けられている。また、図示しないが、他方の端部にはネジ山が形成されており、連結筒４０ａにはネジ穴が形成されている。各脚３１〜３３のネジ山を連結筒４０ａのネジ穴にねじ込むことで、各脚３１〜３３は基台部３０に取り付けられている。また、各脚３１〜３３には予備バッテリ４２ａ、４２ｂが収容されている。各脚３１〜３３のネジ山が設けられた他方の端部には、開口（図示せず）が設けられており、各脚３１〜３３が連結筒４０ａから取り外されることによって、予備バッテリ４２ａ、４２ｂは交換自在となる。各脚３１〜３３に収容された２本の予備バッテリ４２ａ、４２ｂは各脚３１〜３３内で直列に接続されており、直列接続された予備バッテリ４２ａの正極および予備バッテリ４２ｂの負極は、基台部３０及び雲台部３４を介してデジタルカメラ２を三脚１９に取り付けるための取付用雄ネジ４５に設けられた供給手段である接続端子４６と電気的に接続されている（図示せず）。
【００１８】
雲台部３４は、前述の取付用雄ネジ４５が設けられている雲台プレート４７、雲台４８と、雲台４８を上下左右に振りカメラを撮影方向に向けるためのパン棒４９とから構成されている。取付用雄ネジ４５の上面には、接続端子４６が突出して設けられている。また、雲台４８は、エレベータ３７の一方の端部に設けられた回動部３７ａに回動自在に取付られている。なお、図１は三脚取付用雌ネジ２０と取付用雄ネジ４５を螺合させて、デジタルカメラ２が雲台プレート４７に固定されており、撮影可能な状態を表わしている。        
【００１９】
図４は、デジタルカメラ２の三脚取付用雌ネジ２０と三脚１９の取付用雄ネジ４５の断面図を示している。三脚取付用雌ネジ２０の側面には、三脚１９が取り付けられたことを検出する三脚検出スイッチ５１が設けられている。三脚検出スイッチ５１は投光器５１ａと受光器５１ｂから構成されており、取付用雄ネジ４５が三脚取付用雌ネジ２０に螺合されると、受光器５１ｂは投光器５１ａからの光を受光できなくなるのでオンとなる。三脚取付用雌ネジ２０の底面には、電源端子５３が設けられている。電源端子５３は、正極５４、負極５５、絶縁部５６から構成されており、正極５４及び負極５５には電線５７，５８が接続されている。なお、電線５７、５８は電源スイッチ１２を介して電源制御回路に接続されている。
【００２０】
また、三脚１９の取付用雄ネジ４５に設けられた接続端子４６は、電源端子５３と同様に正極６０、負極６１、絶縁部６２から構成されている。正極６０は、各脚３１〜３３に設けられた予備バッテリ４２ａの正極と電線６５によって接続されている。また、負極６１は各脚３１〜３３に設けられた予備バッテリ４２ｂの負極と電線６６によって接続されている。これにより、取付用雄ネジ４５が三脚取付用雌ネジ２０に螺合されると、接続端子４６及び電源端子５３に設けられた正極５４、６０及び負極５５，６１が接触することによって予備バッテリ４２ａ、４２ｂからの電圧がデジタルカメラ２に供給される。
【００２１】
図４はデジタルカメラ２及び三脚１９の電気的なブロック図である。デジタルカメラ２にはシステムコントローラ７０が設けられており、このシステムコントローラ７０はシャッタボタン９等から入力される各種操作信号に基づきデジタルカメラ２の各部を統括的に制御する。ＲＯＭ７２には、各種制御用のプログラムが予め記憶されている。システムコントローラ７０は、ＲＯＭ７２からの各種プログラムを作業用メモリであるＲＡＭ７３にロードして各種処理を実行する。
【００２２】
デジタルカメラ２はモード選択ボタン１４によって、各種モードの設定を行うことができる。選択できるモードとしては、撮影モードと再生モードとがあり、撮影モードには、通常の撮影、ストロボ撮影、セルフタイマ撮影、夜景撮影等のモードが設けられている。      
【００２３】
撮影モードでは、シャッタボタン９が押されると、撮像部７５によって撮像が行われ、撮像された画像データが、メモリーカード７７に記憶される。撮像部７５は、撮像レンズ５、ＣＣＤイメージセンサ、ズーミングや焦点調節と行うためのレンズ移動機構、絞り切り換え機構等からなる。
【００２４】
ＣＣＤイメージセンサは、周知のように、被写体光を光電変換してアナログの撮像信号に変換する。アナログの撮像信号は、Ａ／Ｄ変換器によってデジタルデータに変換された後、ＲＡＭ７３に一時的に書き込まれる。画像処理部７８は、ＲＡＭ７３に書き込まれた画像データに対して、ガンマ補正、シャープネス補正、コントラスト補正等の各種画像補正処理を施した後、処理済みのデータをＪＰＥＧなどの圧縮形式で圧縮する。この圧縮された画像データがメディアコントローラ７９によってメモリーカード７７に書き込まれる。
【００２５】
再生モードでは、メモリーカード７７から画像が読み出されて、画像処理部７８において、伸張処理がされた後リサイズ処理が施され、画素数の少ない表示用画像データが作成される。この表示用画像データがＲＡＭ７３に書き込まれる。ビデオエンコーダ８０は、表示用画像データをアナログのコンポジット信号に変換して液晶表示（ＬＣＤ）パネル１８に出力する。これにより、ＬＣＤパネル１８に画像が再生表示される。
【００２６】
三脚取付用雌ネジ２０の内側には、三脚１９の取付用雄ネジ４５が螺合された際にオンされる三脚検出スイッチ５１と、外部からの駆動電圧を電源制御回路８１に供給する電源端子５３が設けられている。三脚検出スイッチ５１が取付用雄ネジ４５を検出した検出信号は、システムコントローラ７０に入力される。
【００２７】
電源制御回路８１には、電源ボタン１２を介してバッテリ８２及び電源端子５３が接続されている。電源制御回路８１は、デジタルカメラ２のバッテリ室に収容されたバッテリ８２に十分な電力がある場合には、バッテリ８２からの電力をデジタルカメラ２の各部に供給する。また、バッテリ８２の残量が少ない（デジタルカメラ２の各部を駆動できない）場合、かつシステムコントローラ７０に三脚検出スイッチ５１からオン信号が入力されていると、三脚の各脚３１〜３３に収容された予備バッテリ４２ａ、４２ｂからの電力が電源制御回路８１に供給される。電源制御回路８１は、予備バッテリ４２ａ、４２ｂからの電力をデジタルカメラ２の各部に供給する。
【００２８】
三脚１９は、制御手段であるバッテリ制御回路８５、検知手段である電圧検知回路８６、表示手段である状態表示ランプ３８、予備バッテリ４２ａ、４２ｂから構成されている。予備バッテリ４２ａ、４２ｂは、デジタルカメラ２のバッテリ室に収容されるバッテリ８２を同様のものを各脚３１〜３３に着脱自在に収容している。そして、各脚３１〜３３に設けられた予備バッテリ４２ａ、４２ｂは、電圧検知回路８６に接続されている。
【００２９】
電圧検知回路８６は、各脚３１〜３３に設けられた予備バッテリ４２ａ、４２ｂの電圧（バッテリ残量や使用中等）を検知する。電圧検知回路８６による各脚３１〜３３の予備バッテリ４２ａ、４２ｂの電圧の検知結果は、バッテリ制御回路８５に入力される。バッテリ制御回路８５は、電圧の検知結果に基づいて、各脚３１〜３３の予備バッテリ４２ａ、４２ｂからデジタルカメラ２に電力を供給する際の制御を行う。さらに、バッテリ制御回路８５は、予備バッテリ４２ａ、４２ｂの電圧に対応した状態表示ランプ３８の点灯を制御する。
【００３０】
状態表示ランプ３８は、赤色、黄色、青色のＬＥＤからなる。例えば、バッテリ制御回路８５は、各脚３１〜３３の予備バッテリ４２ａ、４２ｂの電圧の検知結果に基づいて、バッテリ残量が少ない（デジタルカメラ２の各部を駆動できない）場合には赤色のＬＥＤを点灯させる。また、デジタルカメラ２に電力を供給中の場合には、黄色のＬＥＤを点灯させる。また、バッテリ残量が十分に残っている場合には、青色のＬＥＤを点灯させる。      
【００３１】
次に上記構成の作用について図６を用いて説明する。デジタルカメラ２の電源スイッチ１２をユーザがオンにすると、バッテリ室に収容されているバッテリ８２からの電力によってデジタルカメラ２の各部を駆動させる。デジタルカメラ２の使用中にバッテリ８２の残量が少なくなり、デジタルカメラ２の各部を駆動できなくなった際に、三脚１９がデジタルカメラ２に取り付けられていると、電源制御回路８１は三脚１９の各脚３１〜３３に収容されている予備バッテリ４２ａ、４２ｂからの電力をデジタルカメラ２の各部に供給して駆動させる。これにより、バッテリ８２の交換などの手間をかけずに長時間の撮影を行うことができる。
【００３２】
また、三脚１９では、各脚３１〜３３に収容されている予備バッテリ４２ａ、４２ｂの残量が電圧検知回路８６によって検知され、バッテリ制御回路８５は電圧の検知結果に基づいて、バッテリ残量が少ない予備バッテリ４２ａ、４２ｂから順にデジタルカメラ２に電力を供給する。この時に、バッテリ制御回路８５は、電圧検知回路８６からの電圧の検知結果に基づいて、各脚３１〜３３の予備バッテリ４３ａ、４２ｂの状態に対応した状態表示ランプ３８を点灯させる。これにより、ユーザは各脚３１〜３３に収容された予備バッテリ４２ａ、４２ｂの状態を把握することができる。
【００３３】
第２の実施形態を図７に示す。第２の実施形態では、三脚１９の取付用雄ネジ４５にアダプタ９０が取り付られ、このアダプタ９０を介して各脚３１〜３３に設けられた予備バッテリ４２ａ、４２ｂからの電圧をデジタルカメラ２に供給するようにしたものである。なお、上記実施形態を同様の構成部材には、同一の符号を付して、重複した説明は省略する。
【００３４】
供給手段の一部であるアダプタ９０は、三脚１９に固定される固定部９１と、デジタルカメラ２のバッテリ室９２の内形と略同形状をした装填部９３とから構成されている。固定部９１の底面には、雲台部３４に設けられた取付用雌ネジ４５をねじ込んで、アダプタ９０を三脚１９に固定するための固定雌ネジ９４が設けられている。また、固定雌ネジ９４には、前述の三脚取付用雌ネジ２０に設けられていた端子５３（供給手段）と同様の構成の端子９４ａが設けられており、取付用雄ネジ４５が固定用雌ネジ９４に螺合されると、接続端子４６と端子９４ａは電気的に接続される。
【００３５】
装填部９３の一方の端面は固定部９１と接続されており、他方の端面には、デジタルカメラ２のバッテリ室９２に装填した際に、バッテリ室９２内に設けられたバッテリ接片９５、９６と接触する電極９３ａ、９３ｂが設けられている。図示しないが、これらの電極９３ａ、９３ｂは、固定雌ネジ９４の端子９４ａに設けられた正極または負極と電気的に接続されている。また、装填部９３の外形は、バッテリ室９２の内形と略合致するので、デジタルカメラ２は三脚１９に取り付けられる。
【００３６】
バッテリ室９２に収容されたバッテリ８２の残量が無くなった（デジタルカメラ２の各部が駆動できない）場合には、蓋部材２５をスライドさせてバッテリ室９２に収容されているバッテリ８２を取り出し、三脚１９に固定されたアダプタ９０の装填部９３をバッテリ室９２に装填させる。これにより、装填部９３に設けられた電極９３ａ、９３ｂがバッテリ室９２に設けられたバッテリ接片９５，９６と接触するので、各脚３１〜３３に設けられた予備バッテリ４２ａ、４２ｂからの電力がデジタルカメラ２に供給される。  
【００３７】
三脚１９に設けられたバッテリ制御回路８５は、電圧検知回路８６による予備バッテリ４２ａ、４２ｂの電圧の検知結果から、バッテリ残量の少ない予備バッテリ４２ａ、４２ｂから順にデジタルカメラ２に電力を供給する。さらに、バッテリ制御回路８６は、脚３１〜３３毎に設けられた赤色、黄色、青色の状態表示ランプ３８のうちから、各脚３１〜３３の予備バッテリ４２ａ、４２ｂの状態に応じた色のＬＥＤを点灯させる。これにより、各脚３１〜３３の予備バッテリ４２ａ、４２ｂの状態が視認によって確認できる。
【００３８】
なお、本実施形態では、デジタルカメラ２を用いて説明したが、これに限らず、ビデオカメラや、銀塩カメラなどに用いてもよい。また、デジタルカメラ２のバッテリ室９２に収容されたバッテリ８２のバッテリ残量が無くなってから、三脚１９の各脚３１〜３３に収容された予備バッテ４２ａ、４２ｂを使用したが、ユーザが使用するバッテリを選択できるような切替スイッチをデジタルカメラ２又は三脚１９に備えてもよい。
【図面の簡単な説明】
【００３９】
【図１】三脚にデジタルカメラを取り付けた際の外観斜視図である。
【図２】デジタルカメラの背面及び底面の構成を説明する斜視図である。
【図３】三脚の構成を説明する斜視図である。
【図４】三脚取付用雌ネジ及び取付用雄ネジの構成を説明する断面図である。
【図５】デジタルカメラ及び三脚の電気的構成を示すブロック図である。
【図６】予備バッテリからデジタルカメラに供給する際の流れを示すフローチャートである。
【図７】アダプタを使用してデジタルカメラに給電を行う際の構成を示す斜視図である。
【符号の説明】
【００４０】
２  デジタルカメラ
１９  三脚
２０  三脚取付用雌ネジ
３８  状態表示ライト
４２ａ、４２ｂ  予備バッテリ
４５  取付用雄ネジ
４６  接続端子
５３  電源端子
８５  バッテリ制御回路
８６  電圧検知回路
９０  アダプタ
９２  バッテリ室
９５、９６  バッテリ接片
【図１】
2005321722.tif 000003
【図２】
2005321722.tif 000004
【図３】
2005321722.tif 000005
【図４】
2005321722.tif 000006
【図５】
2005321722.tif 000007
【図６】
2005321722.tif 000008
【図７】
2005321722.tif 000009